(57)【特許請求の範囲】
【請求項１】
左右一対の縦材間に複数の横材が設けられた梯子であって、前記横材のうち少なくとも最上段になる横材は、一端が一方の前記縦材に枢着され、他端が他方の前記縦材に着脱自在に連結され、前記他方の縦材との連結を解除した際、擺動して前記一方の縦材に沿設状態となるように構成され、また、前記横材は、一端が前記一方の縦材に枢着される筒体に、前記他方の縦材と係止される係止体が突没自在に嵌入された構成であり、更に、前記他方の縦材に前記係止体の先端を嵌入係止する係止受孔が設けられ、更に、前記筒体の外周部には案内係止孔が設けられ、更に、前記係止体には前記案内係止孔内を移動する突体が設けられ、この突体を前記案内係止孔内において移動させ、前記筒体から前記係止体を突出させた際、前記係止受孔に前記係止体が嵌入係止して前記横材が前記他方の縦材に連結され、一方、前記突体を前記案内係止孔内において復帰移動させ、前記筒体へ前記係止体を没入させた際、前記係止受孔から前記係止体が離脱し、前記係止受孔と前記係止体との係止が解除されて前記横材と前記他方の縦材との連結も解除されるように構成されていることを特徴とする梯子。
【請求項２】
請求項１記載の梯子において、前記左右の縦材は伸縮可能に構成されることを特徴とする梯子。
【請求項３】
請求項１，２いずれか１項に記載の梯子において、前記係止体の前記筒体に対する突没を案内する前記案内係止孔には、前記係止体の前記筒体に対する突没状態を保持する保持孔が連設されていることを特徴とする梯子。
【請求項４】
請求項１〜３いずれかに１項に記載の梯子において、前記突体は、前記係止体に螺着される螺子であることを特徴とする梯子。
【発明の詳細な説明】
【技術分野】
【０００１】
本発明は、例えば、屋根の昇り降りに用いる梯子に関するものである。
【背景技術】
【０００２】
例えば、屋根に掛けた梯子から屋根に乗り移る際、梯子の上段に来たら、脇に身体をずらし、片足ずつ移動して乗り移るのが一般的である。この移動の際には、高所で身体を梯子から離し、しかも身体が梯子の外側を移動することになるので、常に不安定感を感じ、実際危険である。
【０００３】
このような不安定さを取り除くものとして、梯子に案内棒を設けることが特開２０００−５４７６８号公報で提案されている（以下、従来例）。
【０００４】
この従来例は、伸縮可能な梯子の先端部に逆Ｌ字型案内棒を付設するように構成されており、この梯子は、この案内棒が屋根の軒から上方へ突出するように調整して屋根に立てかける。従って、この梯子の場合は梯子から屋根に移る場合、この案内棒の間を通るため、上記のような不安定感は感じなく、また危険性もない。
【０００５】
【特許文献１】特開２０００−５４７６８号公報
【発明の開示】
【発明が解決しようとする課題】
【０００６】
しかし、この従来例では、梯子に案内棒を設けたりしなければならず、この梯子の設置には手間がかかり、扱いが厄介である。
【０００７】
本発明は、上記問題に鑑みてなされた発明であり、簡易な操作により安全性が高い梯子を実現し得るものである。
【課題を解決するための手段】
【０００８】
添付図面を参照して本発明の要旨を説明する。
【０００９】
左右一対の縦材１間に複数の横材２が設けられた梯子であって、前記横材２のうち少なくとも最上段になる横材２は、一端が一方の前記縦材１に枢着され、他端が他方の前記縦材１に着脱自在に連結され、前記他方の縦材１との連結を解除した際、擺動して前記一方の縦材１に沿設状態となるように構成され、また、前記横材２は、一端が前記一方の縦材１に枢着される筒体７に、前記他方の縦材１と係止される係止体６が突没自在に嵌入された構成であり、更に、前記他方の縦材１に前記係止体６の先端を嵌入係止する係止受孔８が設けられ、更に、前記筒体７の外周部には案内係止孔９が設けられ、更に、前記係止体６には前記案内係止孔９内を移動する突体10が設けられ、この突体10を前記案内係止孔９内において移動させ、前記筒体７から前記係止体６を突出させた際、前記係止受孔８に前記係止体６が嵌入係止して前記横材２が前記他方の縦材１に連結され、一方、前記突体10を前記案内係止孔９内において復帰移動させ、前記筒体７へ前記係止体６を没入させた際、前記係止受孔８から前記係止体６が離脱し、前記係止受孔８と前記係止体６との係止が解除されて前記横材２と前記他方の縦材１との連結も解除されるように構成されていることを特徴とする梯子に係るものである。
【００１０】
また、請求項１記載の梯子において、前記左右の縦材１は伸縮可能に構成されることを特徴とする梯子に係るものである。
【００１１】
また、請求項１，２いずれか１項に記載の梯子において、前記係止体６の前記筒体７に対する突没を案内する前記案内係止孔９には、前記係止体６の前記筒体７に対する突没状態を保持する保持孔13が連設されていることを特徴とする梯子に係るものである。
【００１２】
また、請求項１〜３いずれかに１項に記載の梯子において、前記突体10は、前記係止体６に螺着される螺子であることを特徴とする梯子に係るものである。
【発明の効果】
【００１３】
本発明は上述のように構成したから、梯子の少なくとも最上段になる横材を離脱させると、人が通ることができる空間部分ができ、しかも、該部分の縦材に掴まって安全にこの縦材間を通過でき、よって、安全に屋根に移ることができる。即ち、少なくとも最上段になる横材の着脱を行うだけで、梯子の間を通る空間を作ることができ、従って、安全に屋根に移ることができ、しかも取り扱い易い梯子となる。
【発明を実施するための最良の形態】
【００１４】
好適と考える本発明の実施形態を、図面に基づいて本発明の作用を示して簡単に説明する。
【００１５】
本発明は、左右一対の縦材１間に複数の横材２が設けられた梯子で、前記横材２のうち少なくとも最上段になる該横材２の一端を前記縦材１の一方から離脱させると、この横材２は枢着部を支点にして縦材１側に倒れ、人が通る空間ができる。
【００１６】
このように屋根上に移る際に梯子の縦材１の間を通ることができるから、梯子の外側に身体をずらして移動するという不安定な行為をしなくても済み、極めて安全に梯子から屋根上に移ることができる。また、横材２の着脱を行うだけで、縦材の間を通る空間を作ることができるから、扱いも厄介ではない。
【実施例】
【００１７】
本発明の具体的な実施例について図面に基づいて説明する。
【００１８】
本実施例は、例えば、屋根の昇り降りに用いる梯子14である。
【００１９】
以下具体的に説明する。
【００２０】
本実施例による梯子14は、図１に示すように左右一対設けられた長尺の縦材１の間に短尺の横材２が複数設けられた梯子であって、最上部側の二段の横材２が擺動し得るように、該横材２の一端が前記縦材１の一方に蝶着部11によって蝶着され、前記横材２の他端が前記縦材１の他方に着脱自在に連結され、他の横材２は前記縦材１に溶接によって固定されている梯子である。
【００２１】
尚、本実施例で用いた材質はアルミであるが、他の材質でもよい。
【００２２】
具体的には、図２乃至３に示すように、梯子14の最上部側に設けた前記横材２は、係止体６と筒体７とから構成され、前記係止体６は前記筒体７内に嵌入されており、筒体７に対して係止体６は突没自在に構成されている。
【００２３】
更に、前記筒体７の他端は、前記縦材１に蝶着部11によって蝶着されている。
【００２４】
また、図４〜６に示すように、前記係止体６の一端は前記縦材１に設けられた係止受孔８に嵌入された際に、横材２が縦材１に係止され得るように構成されている。
【００２５】
また、図２〜６に示すように、前記筒体７の外周部には、係止体６に設けた突体10が移動して係止体６の突没を案内する直線状の案内係止孔９が設けられ、また、この案内係止孔９には前記係止体６の突没状態を保持するＬ字形状の保持孔13が連設されている。
【００２６】
また、前記突体10は係止体６に螺着される螺子である。
【００２７】
従って、図２に示す状態から、突体10を保持孔部13から案内係止孔９へ移動させ、係止体６を係止受孔８から抜くと、横材２は図３に図示したように縦材１に沿設状態となる。
【００２８】
従って、この結果生ずる縦材１間の空間部分を出入りに使えることになり、図１に示すように、この梯子の上段部の左右縦材１の間を人が通ることになる。
【００２９】
逆に、横材２を起こし、突体10をスライドさせ係止体６を係止受孔８に嵌入し、突体10を保持孔部13に位置させると横材２は固定される。
【００３０】
また、図７は、所謂、外梯子16に内梯子15を収容した二段スライド式の梯子14の一例であって、内梯子15に本実施例に係る横材２を用いた例である。この場合、内梯子15の上段の二段の横材２を外し、三段目の横材２が屋根の軒よりわずかに下になるようにスライドを調整して使用する。
【００３１】
本実施例は上述のように構成したから、横材２の着脱という簡単な操作により横材２が縦材１に沿設状態となり、人が通ることができる空間部分が作られることになる。しかも、該部分の縦材１部分を手すりとして使うことができるようになるから、この手すりに掴まって安全に身体を縦材１間を通過させることができ、よって、屋根上への移動を安全に行うことができ、更に、梯子の重量が著しく重くないから取り扱い易く、更に、特別な構造を有しないので汎用的に使える梯子を提供できることになる。
【００３２】
尚、本発明は、本実施例に限られるものではなく、各構成要件の具体的構成は適宜設計し得るものである。
【図面の簡単な説明】
【００３３】
【図１】本実施例の使用状態説明図である。
【図２】本実施例に係る上段部横材を縦材に架設した状態の説明図である。
【図３】本実施例に係る上段部横材を擺動させた状態の説明図である。
【図４】本実施例に係る要部の動作説明図である。
【図５】本実施例に係る要部の動作説明図である。
【図６】本実施例に係る要部の動作説明図である。
【図７】別実施例に係る梯子の使用状態説明図である。
【符号の説明】
【００３４】
１  縦材
２  横材
６  係止体
７  筒体
８  係止受孔
９  案内係止孔
10  突体
13  保持孔
【図１】
0004814290.tif 000002
【図２】
0004814290.tif 000003
【図３】
0004814290.tif 000004
【図４】
0004814290.tif 000005
【図５】
0004814290.tif 000006
【図６】
0004814290.tif 000007
【図７】
0004814290.tif 000008